(57)【要約】【課題】作業性の向上を図ることが可能なコネクタ構造を提供する。【解決手段】コネクタ構造は、コネクタ２側の構成部材であるカバー８の閉方向の回転移動に伴って扁平接続部材１とコネクタ２との電気的な接続が行われる構造であり、且つ、カバー８の閉状態では、このカバー８と別な構成部材であるカバーロック部材、すなわちペグ９を装着することでカバー８が押さえ付けられて、前記接続を維持するための構成部材間のロックが行われる構造である。コネクタ構造は、カバー８を回転移動させる以外が１アクションだけでよくなる構造である。【選択図】図１
2016012402.tif 000002
【特許請求の範囲】
【請求項１】
複数の回路を有する扁平接続部材及びコネクタの電気的な接続と、前記コネクタにおける前記接続維持のための構成部材間のロックとに係るコネクタ構造において、
当該コネクタ構造は、前記コネクタ側の構成部材であるカバーの閉方向の回転移動に伴い前記接続が行われる構造であり、且つ、前記カバーの閉状態では、該カバーと別な構成部材のカバーロック部材にて前記カバーが押さえ付けられて前記ロックが行われる構造である
ことを特徴とするコネクタ構造。
【請求項２】
請求項１に記載のコネクタ構造において、
前記扁平接続部材には、該扁平接続部材側の嵌合部分になる接続部材側嵌合部が形成され、
前記コネクタは、ハウジングと、複数のコンタクトと、前記カバーと、前記カバーロック部材とを備えて構成され、
前記ハウジングは、接続部材収容部と、ハウジング側回転軸部と、ロック部材着脱部とを有する部材に形成され、
前記複数のコンタクトは、前記接続部材収容部の位置で露出するように前記ハウジングに配設され、
前記カバーは、接続部材押圧部と、カバー側嵌合部と、カバー側回転軸部と、ロック部材係合部とを有する部材に形成され、
前記接続部材押圧部は、前記接続部材収容部に対向する位置に配置形成され、
前記カバー側嵌合部は、前記ハウジング側回転軸部と前記カバー側回転軸部とによる前記カバーの回転移動に伴い前記接続部材収容部に収容された前記扁平接続部材の前記接続部材側嵌合部に嵌合する位置に配置形成され、
前記ロック部材係合部は、前記接続部材押圧部に対しカバー肉厚方向の反対側位置に配置形成され、
前記カバーロック部材は、前記ハウジングの前記ロック部材着脱部に着脱自在になるハウジング着脱部と、前記カバーの前記ロック部材係合部に対し押さえ付けるように係合するカバー係合部とを有する部材に形成される
ことを特徴とするコネクタ構造。
【請求項３】
請求項２に記載のコネクタ構造において、
前記複数のコンタクトは、前記接続部材収容部の位置で露出する部分が前記扁平接続部材に対する弾性接触部になるように形成される
ことを特徴とするコネクタ構造。
【請求項４】
請求項２又は３に記載のコネクタ構造において、
前記カバーロック部材は、バネ性を有する材料にて形成される
ことを特徴とするコネクタ構造。
【請求項５】
請求項２、３又は４に記載のコネクタ構造において、
前記ハウジング側回転軸部と前記カバー側回転軸部は、前記コネクタに対する前記扁平接続部材の収容開始側に配置形成され、
前記ロック部材着脱部と前記ロック部材係合部は、前記カバー側嵌合部と前記複数のコンタクトにおける前記露出の部分とが間に位置するような、前記ハウジング側回転軸部と前記カバー側回転軸部とから離れた位置に配置形成される
ことを特徴とするコネクタ構造。
【発明の詳細な説明】
【技術分野】
【０００１】
本発明は、複数の回路を有する扁平接続部材及びコネクタの電気的な接続と、コネクタにおける前記接続維持のための構成部材間のロックとに係るコネクタ構造に関する。
【背景技術】
【０００２】
回路基板に対する外部からの電気的な接続をするために、回路基板にはコネクタが設けられる。このコネクタは、扁平接続部材を接続することができる構成及び構造を有する。扁平接続部材は、フレキシブルプリント回路基板（ＦＰＣ）やフレキシブルフラットケーブル（ＦＦＣ）などの扁平形状の電気的な接続部材であって、単にフラットケーブルと呼ばれることもある。
【０００３】
下記特許文献１には、扁平接続部材及びコネクタの電気的な接続と、コネクタにおける前記接続維持のための構成部材間のロックとに係るコネクタ構造が開示される。このコネクタ構造では、コネクタ側の構成部材として、ハウジングとカバーとが備えられ、扁平接続部材との電気的な接続は、ハウジングに対しカバーを閉方向に回転移動させることで開始される。コネクタ構造では、カバーが閉状態になる前に回転移動が規制され、この後にカバーを第一の方向（斜め方向）にスライド移動させないと規制が解除されず、更にはこの規制が解除されても第二の方向（水平方向）にスライド移動させないとカバーが閉状態にならない構造である。従って、２アクションのスライド移動をさせないとカバーが閉状態にならず、電気的な接続も完了しない。尚、このようなコネクタ構造では、カバーを上記第二の方向（水平方向）に更にスライド移動させないとカバーがハウジングにロックされない。
【先行技術文献】
【特許文献】
【０００４】
【特許文献１】特開２０１３−１７５３９５号公報
【発明の概要】
【発明が解決しようとする課題】
【０００５】
上記従来技術にあっては、電気的な接続と構成部材間のロックとを完了させるために２アクションになるカバーのスライド移動が必要になることから、作業性が悪いという問題点を有する。
【０００６】
本発明は、上記した事情に鑑みてなされたもので、作業性の向上を図ることが可能なコネクタ構造を提供することを課題とする。
【課題を解決するための手段】
【０００７】
上記課題を解決するためになされた請求項１に記載の本発明は、複数の回路を有する扁平接続部材及びコネクタの電気的な接続と、前記コネクタにおける前記接続維持のための構成部材間のロックとに係るコネクタ構造において、当該コネクタ構造は、前記コネクタ側の構成部材であるカバーの閉方向の回転移動に伴い前記接続が行われる構造であり、且つ、前記カバーの閉状態では、該カバーと別な構成部材のカバーロック部材にて前記カバーが押さえ付けられて前記ロックが行われる構造であることを特徴とする。
【０００８】
このような特徴を有する本発明によれば、カバーを回転移動させてカバーを閉じた状態にした後は、カバーロック部材を用いてカバーの押さえ付けを行うだけで電気的な接続が完了するとともに、この接続を維持するための構成部材間のロックも完了する。本発明によれば、カバーを回転移動させる以外は１アクションだけでよい。具体的には、カバーロック部材を用いてカバーを押さえ付ける１アクションだけでよい。
【０００９】
請求項２に記載の本発明は、請求項１に記載のコネクタ構造において、前記扁平接続部材には、該扁平接続部材側の嵌合部分になる接続部材側嵌合部が形成され、前記コネクタは、ハウジングと、複数のコンタクトと、前記カバーと、前記カバーロック部材とを備えて構成され、前記ハウジングは、接続部材収容部と、ハウジング側回転軸部と、ロック部材着脱部とを有する部材に形成され、前記複数のコンタクトは、前記接続部材収容部の位置で露出するように前記ハウジングに配設され、前記カバーは、接続部材押圧部と、カバー側嵌合部と、カバー側回転軸部と、ロック部材係合部とを有する部材に形成され、前記接続部材押圧部は、前記接続部材収容部に対向する位置に配置形成され、前記カバー側嵌合部は、前記ハウジング側回転軸部と前記カバー側回転軸部とによる前記カバーの回転移動に伴い前記接続部材収容部に収容された前記扁平接続部材の前記接続部材側嵌合部に嵌合する位置に配置形成され、前記ロック部材係合部は、前記接続部材押圧部に対しカバー肉厚方向の反対側位置に配置形成され、前記カバーロック部材は、前記ハウジングの前記ロック部材着脱部に着脱自在になるハウジング着脱部と、前記カバーの前記ロック部材係合部に対し押さえ付けるように係合するカバー係合部とを有する部材に形成されることを特徴とする。
【００１０】
このような特徴を有する本発明によれば、先ずはじめに、ハウジングの接続部材収容部に扁平接続部材を収容し、この後にカバーを回転移動させてカバーを閉じた状態にする。この時、カバー側回転軸部とハウジング側回転軸部とが回転軸になり、カバーは閉じる方向に回転移動する。カバーが閉じる方向に回転移動すると、カバーに形成された接続部材押圧部が扁平接続部材を押圧する。接続部材押圧部により扁平接続部材が押圧されると、扁平接続部材は接続部材収容部に露出する複数のコンタクトに押し付けられる。すなわち、電気的に接触する。尚、カバーを閉じた状態にする際には、カバーに形成されたカバー側嵌合部が扁平接続部材に形成された接続部材側嵌合部に嵌合する。これにより扁平接続部材の位置決めがなされるのは勿論のこと、扁平接続部材の抜け・脱落が防止される。カバーを閉じた状態にした後は、カバーロック部材を用いてカバーの押さえ付けを行うと一連の作業が完了する。カバーの押さえ付けに関しては、ハウジングのロック部材着脱部にカバーロック部材のハウジング着脱部を装着するだけであり、このような装着が行われると、カバーロック部材のカバー係合部がカバーを押さえ付けるように係合し、結果、カバーはロックされた状態になる。以上のように、カバーを回転移動させてカバーを閉じた状態にした後は、カバーロック部材を用いてカバーの押さえ付けを行うだけで電気的な接続が完了するとともに、この接続を維持するための構成部材間のロックも完了する。本発明によれば、カバーを回転移動させる以外は１アクションだけでよい。具体的には、カバーロック部材を用いてカバーを押さえ付ける１アクションだけでよい。
【００１１】
請求項３に記載の本発明は、請求項２に記載のコネクタ構造において、前記複数のコンタクトは、前記接続部材収容部の位置で露出する部分が前記扁平接続部材に対する弾性接触部になるように形成されることを特徴とする。
【００１２】
このような特徴を有する本発明によれば、カバーが閉じる方向に回転移動すると、扁平接続部材が接続部材押圧部に押圧され、この時、接続部材収容部の位置で露出する複数のコンタクトが扁平接続部材に対し弾性接触する。
【００１３】
請求項４に記載の本発明は、請求項２又は３に記載のコネクタ構造において、前記カバーロック部材は、バネ性を有する材料にて形成されることを特徴とする。
【００１４】
このような特徴を有する本発明によれば、カバーロック部材からの押さえ付けの力がカバーに作用し続けるようになる（別な言い方をすれば、押さえ付けの力を与え続けることができるようになる）。
【００１５】
請求項５に記載の本発明は、請求項２、３又は４に記載のコネクタ構造において、前記ハウジング側回転軸部と前記カバー側回転軸部は、前記コネクタに対する前記扁平接続部材の収容開始側に配置形成され、前記ロック部材着脱部と前記ロック部材係合部は、前記カバー側嵌合部と前記複数のコンタクトにおける前記露出の部分とが間に位置するような、前記ハウジング側回転軸部と前記カバー側回転軸部とから離れた位置に配置形成されることを特徴とする。
【００１６】
このような特徴を有する本発明によれば、カバーロック部材からの押さえ付けの力がカバーに作用し続ける部分と、回転軸になる部分との間で押圧されながら電気的な接続が行われる。
【発明の効果】
【００１７】
請求項１、２に記載された本発明によれば、カバーを回転移動させる以外は１アクションだけでよいことから、従来よりも作業性の向上を図ることができるという効果を奏する。また、請求項３〜５に記載された本発明によれば、電気的な接続に係り、高い接触信頼性が得られるというという効果を奏する。
【図面の簡単な説明】
【００１８】
【図１】本発明のコネクタ構造を示す斜視図である。
【図２】複数のコンタクトを設けたハウジングに係る図であり、（ａ）は正面図、（ｂ）は底面図、（ｃ）は右側面図である。
【図３】複数のコンタクトを設けたハウジングに係る図であり、（ａ）は上方から見た斜視図、（ｂ）は下方から見た斜視図である。
【図４】カバーに係る図であり、（ａ）は正面図、（ｂ）は底面図、（ｃ）は右側面図である。
【図５】カバーに係る図であり、（ａ）は上方から見た斜視図、（ｂ）は下方から見た斜視図である。
【図６】（ａ）はカバーを引き上げた時の状態を示す斜視図、（ｂ）はカバーロック部材であるペグの斜視図である。
【図７】扁平接続部材を収容する前の状態を示すコネクタの断面図である。
【図８】扁平接続部材を収容しカバーを閉じた状態を示すコネクタの断面図である。
【図９】ペグを装着してカバーをロックした状態を示すコネクタの断面図である。
【発明を実施するための形態】
【００１９】
コネクタ構造は、コネクタ側の構成部材であるカバーの閉方向の回転移動に伴って扁平接続部材とコネクタとの電気的な接続が行われる構造であり、且つ、カバーの閉状態では、このカバーと別な構成部材であるカバーロック部材を装着することでカバーが押さえ付けられて、前記接続を維持するための構成部材間のロックが行われる構造である。カバーを回転移動させる以外は１アクションだけでよい。
【実施例】
【００２０】
以下、図面を参照しながら実施例を説明する。図１は本発明のコネクタ構造を示す斜視図である。また、図２及び図３は複数のコンタクトを設けたハウジングに係る図、図４及び図５はカバーに係る図である。さらに、図６（ａ）はカバーを引き上げた時の状態を示す斜視図、（ｂ）はカバーロック部材であるペグの斜視図である。また、図７は扁平接続部材を収容する前の状態を示すコネクタの断面図、図８は扁平接続部材を収容しカバーを閉じた状態を示すコネクタの断面図、図９はペグを装着してカバーをロックした状態を示すコネクタの断面図である。
【００２１】
尚、図中の矢印Ｐは上下方向を示すものとする。また、矢印Ｑは左右方向を、矢印Ｒは前後方向を示すものとする。
【００２２】
図１において、本発明に係るコネクタ構造は、扁平接続部材１及びコネクタ２の電気的な接続と、コネクタ２における前記接続維持のための構成部材間のロックとに係る構造である。
【００２３】
先ず、扁平接続部材１及びコネクタ２の構成及び構造について説明をする。
【００２４】
扁平接続部材１は、所謂フラットケーブルであって、具体的にはフレキシブルプリント回路基板（ＦＰＣ：Flexible Printed Circuit）やフレキシブルフラットケーブル（ＦＦＣ：Flexible Flat Cable）などの扁平形状の電気的な接続部材が該当する。扁平接続部材１は、所定の幅、回路数、長さ等の諸条件を具備して形成される。
【００２５】
扁平接続部材１の端部には、コネクタ２との電気的な接続を行うためのコネクタ接続部３が形成される。このコネクタ接続部３は、コネクタ２の後述する接続部材収容部１２に収容される部分として形成される。コネクタ接続部３の下面は、回路が複数露出するように形成される。コネクタ接続部３の左右両側には、接続部材側嵌合部４がそれぞれ形成される。この一対の接続部材側嵌合部４は、扁平接続部材１側の嵌合部分として形成される。一対の接続部材側嵌合部４は、矩形に貫通する形状に形成される。
【００２６】
コネクタ２は、例えば半導体素子やＩＣチップ等を有するプリント基板５のエッジ近傍に実装されるものである。このようなコネクタ２は、ハウジング６と、複数のコンタクト７と、カバー８と、一対のペグ９（カバーロック部材）とを備えて構成される。
【００２７】
コネクタ２は、以下の説明から分かるようになるが、従来例よりも作業性の向上が図られたものになる。
【００２８】
図１ないし図３において、ハウジング６は、樹脂成形品であって絶縁性を有する。尚、樹脂材料は公知の一般的な材料が用いられ、ここでの説明は省略する。ハウジング６は、ハウジング基部１０と、一対の側壁部１１とを有して図示形状に形成される。
【００２９】
ハウジング基部１０は、プリント基板５の上面に載置されるような平面視長方形状、且つ正面視略平板状の部分に形成される。ハウジング基部１０の上面は、後述する部分によって段付きの形状に形成される。一方、下面、前面（前端）、後面（後端）などは平坦な面の形状に形成される。ハウジング基部１０の上面には、接続部材収容部１２が形成される。また、この接続部材収容部１２に対して段付きになるように、一対の収容開始時案内部１３と、一対の収容時ガイド部１４と、接続部材突き当て部１５とが突出形成される。
【００３０】
接続部材収容部１２は、扁平接続部材１のコネクタ接続部３を収容する部分として形成される。また、接続部材収容部１２は、コネクタ接続部３の下面が載置される広さの部分として形成される。接続部材収容部１２の中央部分には、コンタクト露出部１６が形成される。このコンタクト露出部１６は、複数のコンタクト７の後述する電気接触部２２を露出させる部分として形成される。コンタクト露出部１６と一対の収容時ガイド部１４との間には、コネクタ側嵌合部１７が一対形成される。この一対のコネクタ側嵌合部１７は、扁平接続部材１の一対の接続部材側嵌合部４の位置に合わせて配置形成される。一対のコネクタ側嵌合部１７は、本実施例において矩形に貫通する形状に形成される（凹みになる形状であってもよい）。
【００３１】
一対の収容開始時案内部１３は、接続部材収容部１２に向けて扁平接続部材１を挿入する際の開始部分、すなわちハウジング基部１０の前面（前端）に連続する位置に配置形成される。一対の収容開始時案内部１３は、仮に扁平接続部材１のコネクタ接続部３が位置ズレした状態で挿入されても、この位置ズレを修正して所定位置に案内することができるテーパ状の部分に形成される。
【００３２】
一対の収容時ガイド部１４は、一対の収容開始時案内部１３に連成される。このような一対の収容時ガイド部１４は、扁平接続部材１を収容する際のガイド部分として形成される。また、一対の収容時ガイド部１４は、扁平接続部材１を収容した後の左右方向のズレを防止する部分としても形成される。
【００３３】
接続部材突き当て部１５は、扁平接続部材１を収容する際の挿入量（長さ）を規制する部分としてハウジング基部１０の後面（後端）側に配置形成される。接続部材突き当て部１５に突き当たるまで扁平接続部材１のコネクタ接続部３が挿入されると、接続部材収容部１２に対する収容が完了する。尚、接続部材突き当て部１５は、この突出先端がカバー８に対向する部分としても形成される。又は、カバー８が当接してこの回転移動を規制する部分としても形成される。
【００３４】
一対の側壁部１１は、ハウジング基部１０の左端及び右端に連続するとともに、上方に突出して高さの低い壁状の部分に形成される。また、一対の側壁部１１は、ハウジング基部１０の前面位置から後面位置にかけて真っ直ぐのびるように形成される。このような一対の側壁部１１は、左右対称の形状に形成される。尚、左右対称の形状であることから、以下、一方の側壁部１１のみについて説明をする。
【００３５】
側壁部１１は、この下面をプリント基板５の上面から若干浮かせるような状態に形成される。具体的には、別部材であり且つカバーロック部材として機能するペグ９の肉厚分の隙間（装着空間）を確保するため、プリント基板５の上面から離れるように形成される。別な言い方をすれば、段差部１８が形成される。段差部１８は、前後方向に真っ直ぐのびるように形成される。このような段差部１８の後ろ側は、後述するロック部材着脱部２０の一部として機能するように形成される。
【００３６】
側壁部１１には、ハウジング側回転軸部１９と、ロック部材着脱部２０とが形成される。ハウジング側回転軸部１９は、カバー８を回転移動させるための部分であって、前側となる位置に配置形成される。一方、ロック部材着脱部２０は、ペグ９の装着部分であって、後側となる位置に配置形成される。尚、ハウジング側回転軸部１９とロック部材着脱部２０との間になる側壁部１１の中間上面は、平坦な面の形状に形成される。この中間上面は、カバー８が閉じた状態になると、カバー８の面と同じ高さになるように配置形成される。
【００３７】
ハウジング側回転軸部１９は、左右方向に円形状で貫通する部分であって、ハウジング６側の回転軸として機能するように形成される。また、ハウジング側回転軸部１９は、側壁部１１の上面からカバー８の後述するカバー側回転軸部２５を嵌め込みによって組み付けることができるように形成される。具体的には、上面を開口するように形成される（尚、この開口幅はカバー側回転軸部２５の直径よりも若干小さな寸法に設定される）。ハウジング側回転軸部１９は、カバー側回転軸部２５を回転自在に組み付けることができる寸法で形成される。
【００３８】
ロック部材着脱部２０は、ペグ９を着脱自在に装着するための部分として形成される。ロック部材着脱部２０は、特に符号を付さないが、段差部１８の後ろ側の部分と、スリットの部分と、凹部の部分とで構成される（一例である。ペグ９の後述するハウジング着脱部２９を保持することができるような着脱部分であればよい）。上記スリットの部分は、ハウジング基部１０と側壁部１１との連続位置をペグ９の肉厚寸法と幅寸法とで切り欠くように形成される。また、上記凹部の部分は、ペグ９の後述するカバー係合部３０の肉厚寸法分だけ少なくとも凹ませる部分として、また、カバー係合部３０の根本を支持する部分として形成される。
【００３９】
図１ないし図３において（必要に応じて図７ないし図９も参照）、複数のコンタクト７は、導電性を有する金属材料を加工してなる端子であって、プリント基板５の図示しない回路パターンと、扁平接続部材１の回路とを電気的に接続するための部材として備えられる。複数のコンタクト７は、全て同じ形状のものに形成され、モールド部（符号省略）と、このモールド部の一端に連続する基板接続部２１と、モールド部の他端に連続する電気接触部２２とを有する。このような複数のコンタクト７は、プリント基板５の回路パターンに対する接続位置が交互に異なるような並びで配置される。
【００４０】
上記モールド部は、ハウジング基部７にインサート成形される部分として形成される。基板接続部２１は、ハウジング基部１０の前面（前端）又は後面（後端）から導出されて上記回路パターンに半田付けされる略脚状の部分として形成される。一方、電気接触部２２は、扁平接続部材１におけるコネクタ接続部３の下面に露出する図示しない回路に接触する部分として形成される。電気接触部２２は、アーム形状に形成されて弾力性を有する。
【００４１】
図１、図４、及び図５において、カバー８は、樹脂成形品であって絶縁性を有する。尚、樹脂材料は公知の一般的な材料が用いられ、ここでの説明は省略する。カバー８は、カバー基部２３と、接続部材押圧部２４と、一対のカバー側回転軸部２５と、一対のカバー側嵌合部２６と、カバー側収容開始時案内面２７と、ロック部材係合部２８とを有して図示形状に形成される。
【００４２】
カバー基部２３は、ハウジング６の接続部材収容部１２を覆うような平面視略長方形状、且つ正面視略平板状の部分に形成される。カバー基部２３の下面には、接続部材押圧部２４と、一対のカバー側嵌合部２６とが配置形成される。接続部材押圧部２４は、接続部材収容部１２に対向する部分であって、カバー８が閉じる際に扁平接続部材１のコネクタ接続部３を面で押圧することができるように形成される。
【００４３】
一対のカバー側嵌合部２６は、接続部材押圧部２４の左右両側に配置形成される。具体的には、ハウジング６の一対のコネクタ側嵌合部１７、及び、扁平接続部材１の一対の接続部材側嵌合部４の位置に合わせて配置形成される。一対のカバー側嵌合部２６は、カバー８の回転移動に伴って一対のコネクタ側嵌合部１７及び一対の接続部材側嵌合部４に嵌合するような側面視略直角三角形状の突出部分として形成される。
【００４４】
一対のカバー側回転軸部２５は、左右方向に突出する円柱形状の部分であって、カバー８側の回転軸として機能するように形成される。一対のカバー側回転軸部２５は、カバー８における左右両側面の前側となる位置に配置形成される。
【００４５】
カバー側収容開始時案内面２７は、ハウジング６の接続部材収容部１２に向けて扁平接続部材１を挿入する際の開始部分に相当する位置に配置形成される。すなわち、カバー８の前面に連続する位置に配置形成される。カバー側収容開始時案内面２７は、傾斜面として形成される。
【００４６】
ロック部材係合部２８は、ペグ９が係合する部分として形成される。ロック部材係合部２８は、本実施例において、カバー８の上面後部が段差になるような形状に形成される。また、この段差が左右方向に真っ直ぐのびるような形状に形成される。ロック部材係合部２８は、ペグ９が係合した状態で、このペグ９がカバー８の上面よりも突出しない形状に形成される。
【００４７】
図１及び図６（ｂ）において、一対のペグ９は、カバー８をロック状態にする際に用いられる部材、すなわち上記カバーロック部材であって、バネ性を有する帯状の金属板を折り曲げ加工することにより図示形状に形成される。尚、本実施例では、コネクタ２が左右方向に長いためペグ９を二つ使用するがこの限りでないものとする。カバー８に対する押さえ付けを十分に発揮できるのであれば一つであってもよい。
【００４８】
ペグ９は、ハウジング着脱部２９と、カバー係合部３０とを有してして図示形状に形成される。ハウジング着脱部２９は、ハウジング６のロック部材着脱部２０に着脱自在になる部分として形成される。具体的には、ロック部材着脱部２０のスリットに差し込まれる部分と、段差部１８の後ろ側に係合する部分とを有する形状に形成される。一方、カバー係合部３０は、片持ちのアーム形状に形成される。ハウジング着脱部２９がロック部材着脱部２０に保持されることにより、カバー係合部３０はカバー８のロック部材係合部２８に対し押さえ付けるような状態で係合する部分に形成される。
【００４９】
次に、図６、図７、及び図１を参照しながらコネクタ２の組み付け工程について説明をする。
【００５０】
コネクタ２の組み付け工程は単純であり、第一工程では、複数のコンタクト７がインサート成形されたハウジング６と、カバー８とを用意した後、ハウジング６の一対のハウジング側回転軸部１９にカバー８の一対のカバー側回転軸部２５を嵌合させることを行う。ハウジング６にカバー７を組み付けた後、第二工程では、これをプリント基板５に実装することを行う。以上により、コネクタ２の組み付け工程が完了する。尚、コネクタ２を使用しないときは、ペグ２をハウジング６に装着して図１に示す如くカバー８の開きを規制しておけばよい。
【００５１】
続いて、図１、及び、図６ないし図９を参照しながら扁平接続部材１とコネクタ２との電気的な接続に係る工程、及び、コネクタ２における接続維持のための構成部材間のロックに係る工程について説明をする。
【００５２】
図１において、扁平接続部材１を接続するにあたり、先ずペグ２をハウジング６から取り外し、図６（ａ）及び図７に示す如くカバー８を若干引き上げた状態にすることを行う。次に、扁平接続部材１のコネクタ接続部３を挿入するような状態でハウジング６の接続部材収容部１２に収容し、この後にカバー８を回転移動させて図８に示す如くカバー８を閉じた状態にすることを行う。カバー８が閉じる方向に回転移動すると、カバー８に形成された接続部材押圧部２４が扁平接続部材１（コネクタ接続部３）を押圧する。接続部材押圧部２４により扁平接続部材１が押圧されると、扁平接続部材１は接続部材収容部１２に露出する複数のコンタクト７に押し付けられる。すなわち、電気的に接触する。
【００５３】
カバー８を閉じた状態にする際には、カバー８に形成された一対のカバー側嵌合部２６が扁平接続部材１に形成された一対の接続部材側嵌合部４に嵌合する。これにより扁平接続部材１の位置決めがなされるのは勿論のこと、扁平接続部材１の抜け・脱落が防止される。そして、カバー８を閉じた状態にした後は、図９に示す如くペグ９を用いてカバー８の押さえ付けを行うと一連の工程が完了する。カバー８の押さえ付けに関しては、ハウジング６のロック部材着脱部２０にペグ９のハウジング着脱部２９を装着するだけであり、この装着を行うと、ペグ９のカバー係合部３０がカバー８を押さえ付けるように係合する。従って、カバー８はロックされた状態になる。
【００５４】
以上のように、カバー８を回転移動させてカバー８を閉じた状態にした後は、ペグ９を用いてカバー８を押さえ付けを行うだけで電気的な接続が完了するとともに、この接続を維持するための構成部材間のロックも完了する。本発明によれば、カバー８を回転移動させる以外はペグ９を装着する１アクションだけでよい。
【００５５】
以上、図１ないし図９を参照しながら説明してきたように、本発明によれば、従来よりも作業性の向上を図ることができるという効果を奏する。また、電気的な接続に係り高い接触信頼性が得られるという効果も奏する。
【００５６】
本発明は本発明の主旨を変えない範囲で種々変更実施可能なことは勿論である。
【符号の説明】
【００５７】
１…扁平接続部材
２…コネクタ
３…コネクタ接続部
４…接続部材側嵌合部
５…プリント基板
６…ハウジング
７…コンタクト
８…カバー
９…ペグ（カバーロック部材）
１０…ハウジング基部
１１…側壁部
１２…接続部材収容部
１３…収容開始時案内部
１４…収容時ガイド部
１５…接続部材突き当て部
１６…コンタクト露出部
１７…コネクタ側嵌合部
１８…段差部
１９…ハウジング側回転軸部
２０…ロック部材着脱部
２１…基板接続部
２２…電気接触部
２３…カバー基部
２４…接続部材押圧部
２５…カバー側回転軸部
２６…カバー側嵌合部
２７…カバー側収容開始時案内面
２８…ロック部材係合部
２９…ハウジング着脱部
３０…カバー係合部
【図１】
2016012402.tif 000003
【図２】
2016012402.tif 000004
【図３】
2016012402.tif 000005
【図４】
2016012402.tif 000006
【図５】
2016012402.tif 000007
【図６】
2016012402.tif 000008
【図７】
2016012402.tif 000009
【図８】
2016012402.tif 000010
【図９】
2016012402.tif 000011